(57)【特許請求の範囲】
【請求項１】
５方向それぞれに対応したダイヤフラムを十字状に近接配置し、前記ダイヤフラムに対向するキーコア面に前記５方向に対応するプッシャーを備え、１つのキーで５方向のキー操作を行なえるようにした５方向キー操作装置であって、
前記ダイヤフラムに対向するプリント基板上に設置された個々のダイヤフラム接点構造が、第１の接点及び前記第１の接点を囲む１つ以上の第２の接点とを有し、前記第２の接点には前記第１の接点と反対側に前記第１の接点の中心に対して扇型状に延長する１つ以上の帯状接点部を備え、
前記ダイヤフラム接点を前記５方向に対応して、前記ダイヤフラム接点の前記帯状接点部を垂直水平方向に対して略４５度傾けて前記プリント基板に十字状に配置したことを特徴とする５方向キー操作装置。
【請求項２】
５方向それぞれに対応したダイヤフラムを十字状に近接配置し、前記ダイヤフラムに対向するキーコア面に前記５方向に対応するプッシャーを備え、１つのキーで５方向のキー操作を行なえるようにした５方向キー操作装置であって、
前記ダイヤフラムに対向するプリント基板上に設置された個々のダイヤフラム接点構造が、第１の接点及び前記第１の接点を囲む１つ以上の第２の接点とを有し、
前記第２の接点には前記第１の接点と反対側に前記第２の接点に延設して１つ以上の矩形の帯状接点部を備え、前記ダイヤフラム接点を前記５方向に対応して、前記ダイヤフラム接点の前記帯状接点部を垂直水平方向に対して略４５度傾けて前記プリント基板に十字状に配置したことを特徴とする５方向キー操作装置。
【発明の詳細な説明】
【０００１】
【発明の属する技術分野】
本発明は、携帯電話機等の５方向キー操作装置に関し、特にプリント基板上に設けられるダイヤフラム接点の構造に工夫を施して最小のスペースでダイヤフラムを設置し、同一のボタンキーで５方向（上下左右＋中心）のキー操作を行なえるよう構成したものである。
【０００２】
【従来の技術】
従来から図６に示されるような５方向キー操作装置が知られている。すなわち、携帯電話機の本体100に、液晶ディスプレイ等の表示部101と各種キーが配列された操作部102とが設けられ、操作部102は、移動キー103及び確定キー104からなる第１部分と、テンキー、メニューキー及びその他のキー105からなる第２部分とから構成されており、その内、第１部分が５方向キー操作装置を構成する。
【０００３】
５方向とは、上下左右の各方向（図中の三角矢印参照）と中心方向を指し、通常、前後左右の各方向のキー、すなわち移動キー103を操作することにより、表示部101上の指示表示間のカーソル移動を行なうと共に、中心方向のキー、すなわち確定キー104を操作することによりカーソル移動させた指示表示の確定を行なうものである。
【０００４】
【発明が解決しようとする課題】
しかし、上記した従来の５方向キー操作装置では、４個の移動キー103と、１個の確定キー104をそれぞれ独立に備えているので、それぞれのキーを配置するのにかなりのスペースを用意する必要があり、またキーを実際に操作するにあたり特定の指の移動範囲が広くなりそれだけ操作するのに時間がかかってしまうという問題があった。
【０００５】
そこで、本発明の目的は、プリント基板上に設けられるダイヤフラム接点の構造に工夫を施して最小のスペースで５つのダイヤフラムを設置し、５つのダイヤフラムを１つのボタンキーで操作可能な５方向キー操作装置を提供することにある。
【０００６】
【課題を解決するための手段】
本発明の請求項１記載の発明は、５方向それぞれに対応したダイヤフラムを十字状に近接配置し、前記ダイヤフラムに対向するキーコア面に前記５方向に対応するプッシャーを備え、１つのキーで５方向のキー操作を行なえるようにした５方向キー操作装置であって、前記ダイヤフラムに対向するプリント基板上に設置された個々のダイヤフラム接点構造が、第１の接点及び前記第１の接点を囲む１つ以上の第２の接点とを有し、前記第２の接点には前記第１の接点と反対側に前記第１の接点の中心に対して扇型状に延長する１つ以上の帯状接点部を備え、前記ダイヤフラム接点を前記５方向に対応して、前記ダイヤフラム接点の前記帯状接点部を垂直水平方向に対して略４５度傾けて前記プリント基板に十字状に配置したことを特徴とするものである。
【０００７】
また、請求項２に記載の発明は、５方向それぞれに対応したダイヤフラムを十字状に近接配置し、前記ダイヤフラムに対向するキーコア面に前記５方向に対応するプッシャーを備え、１つのキーで５方向のキー操作を行なえるようにした５方向キー操作装置であって、前記ダイヤフラムに対向するプリント基板上に設置された個々のダイヤフラム接点構造が、第１の接点及び前記第１の接点を囲む１つ以上の第２の接点とを有し、前記第２の接点には前記第１の接点と反対側に前記第２の接点に延設して１つ以上の矩形の帯状接点部を備え、前記ダイヤフラム接点を前記５方向に対応して、前記ダイヤフラム接点の前記帯状接点部を垂直水平方向に対して略４５度傾けて前記プリント基板に十字状に配置したことを特徴とするものである。
【０００８】
【発明の実施の形態】
以下、本発明の実施の形態について、図１から図５を用いて説明する。
【０００９】
図１は、本発明の実施形態に係る携帯電話機等に組込まれている５方向キー操作装置の分解斜視図であり、図２は携帯電話機として組立てた後に図１のＡ−Ａ線に沿った断面図である。
【００１０】
図１において、通常、携帯電話機等では、シリコンゴムなどから構成されるキーシート30にテンキー31などが一体に形成され、これがカバー10の所定位置に装着されるとともにプリント基板40に設けられたダイヤフラム４に対向するように設置される。
【００１１】
本発明に係る５方向キー操作装置は、キーシート30に植立された最大のキーである５方向キー６と、それに対応する十字状に設置されたダイヤフラム４とから構成される。
【００１２】
図２は、携帯電話機として組立後に図１のＡ−Ａ線に沿った本発明の実施の形態に係る５方向キー操作装置の構成を示す断面図であり、図２においてはプリント基板40に３つのダイヤフラム４が示されており、それに対向する５方向キー６のコア面に３つのプッシャー34がキーベース32に設けられている。そして、真中のプッシャーの形状(断面の形状は三角形であるが実際は四角錐)は左右のプッシャーの形状(断面の形状は台形であるが実際は円筒)と異なるように設定されている。
【００１３】
ところで上記した５方向キー６に対応して十字状に設けられるダイヤフラム４が載置される接点としては、当業者の設計では通常、図３のようなドーナッツ形の接点、すなわち第１の接点１と第２の接点２がプリント基板40に設けられ、それに所定のダイヤフラム４が載置されるように設計するのが常套である。
【００１４】
しかし、このような設計ではダイヤフラム接点の設置スペースは、第２の接点２が互いに接触しない限度でより接近させて配置することで最小のスペースを作るしかない。
【００１５】
本発明は、上記のような通常の設計ではなく、さらにダイヤフラム接点の設置スペースを小さくするようにするとともに第２の接点に工夫を施して装置全体の小型化及び軽量化を図ったものである。
【００１６】
図４は、本発明の第１の実施形態のダイヤフラム接点の構成を示すものである。図４において個々のダイヤフラム接点は、第１の接点である円形接点１と、第２の接点２には第１の接点１の反対側に、前記第１の接点１の中心に対して扇型状に延長する帯状接点部３ａ〜３ｄを設けるようにしている。
【００１７】
扇型状にしているので、第１の接点１の中心から離れるにつれて第２の接点２の金属パターン部分の面積が広くなっている。そのため、ダイヤフラム４の外周部の形状が生産のばらつきにより、多少うねっていたとしても、多数の帯のいずれかとダイヤフラム４の外周が接触して導通を確保することができる。
【００１８】
このように構成されたダイヤフラム接点５個を、帯状接点部３ａ、３ｃおよび帯状接点部３ｂ、３ｄが垂直水平方向に対して略４５度傾けて十字状に配置する。こうすると、第２の接点２（実際は帯状接点部３）が互いに接触する虞れがある箇所が略４５度になるのでダイヤフラム４を互いに接近して配置することが可能となり、ダイヤフラムの設置スペースを最小とすることができる。
【００１９】
図５は、本発明の第２の実施形態のダイヤフラム接点の構成を示すものである。図５において個々のダイヤフラム接点は、第１の接点である円形接点１と、第２の接点２には第１の接点１の反対側に、前記第２の接点２に延設して矩形の帯状接点部３ａ’〜３ｄ’を設けるようにしている。
【００２０】
このように構成されたダイヤフラム接点５個を、上記したのと同様に帯状接点部３ａ’、３ｃ’および帯状接点部３ｂ’、３ｄ’が垂直水平方向に対して略４５度傾けて十字状に配置する。こうすると、第２の接点２（実際は帯状接点部３）が互いに接触する虞れがある箇所が略４５度になるのでダイヤフラム４を互いに接近して配置することが可能となり、ダイヤフラムの設置スペースを最小とすることができる。
【００２１】
なお、以上の説明では第２の接点を１つのドーナッツ状のものについて図示したが、これをダイヤフラム内に複数設けて構成することも可能である。
【００２２】
【発明の効果】
以上のように本発明は、５方向それぞれに対応したダイヤフラムを十字状に近接配置し、前記ダイヤフラムに対向するキーコア面に前記５方向に対応するプッシャーを備え、１つのキーで５方向のキー操作を行なえるようにした５方向キー操作装置であって、前記ダイヤフラムに対向するプリント基板上に設置された個々のダイヤフラム接点構造が、第１の接点及び前記第１の接点を囲む１つ以上の第２の接点とを有し、前記第２の接点には前記第１の接点と反対側に前記第１の接点の中心に対して扇型状に延長する１つ以上の帯状接点部又は前記第２の接点に延設して１つ以上の矩形の帯状接点部を備え、前記ダイヤフラム接点を前記５方向に対応して、前記ダイヤフラム接点の前記帯状接点部を垂直水平方向に対して略４５度傾けて前記プリント基板に十字状に配置したことを特徴とするものであり、最小のスペースでダイヤフラムを設置し、同一のボタンキーで５方向（上下左右＋中心）のキー操作を行なうことができるという効果を発揮するものである。
【図面の簡単な説明】
【図１】本発明の実施の形態に係る５方向キー操作装置の構成を示す図、
【図２】組立後に図１のＡ−Ａ線に沿った本発明の実施形態に係る５方向キー操作装置の構成を示す断面図、
【図３】通常のダイヤフラム接点構造を示し、それを十字状に配置した図、
【図４】本発明の第１の実施形態に係るダイヤフラム接点構造を示し、それを十字状に配置した図、
【図５】本発明の第２の実施形態に係るダイヤフラム接点構造を示す図、
【図６】従来の５方向キー操作装置の構成を示す図である。
【符号の説明】
１  第１の接点
２  第２の接点
３  帯状接点部
４  ダイヤフラム
６  ５方向キー
10  カバー
20  ５方向キー操作装置
30  キーシート
31  テンキー
32  キーベース
34  プッシャー
40  プリント基板
100  携帯電話機本体
101  表示部
102  操作部
103  移動キー
104  確定キー
105  テンキー及びその他のキー
【図１】
0004334082.tif 000002
【図２】
0004334082.tif 000003
【図３】
0004334082.tif 000004
【図４】
0004334082.tif 000005
【図５】
0004334082.tif 000006
【図６】
0004334082.tif 000007